【事件の表示】
　特願２００１−３１５４２６「広告表示装置」拒絶査定不服審判事件〔平成１５年　４月２５日出願公開、特開２００３−１２２２８８〕について、次のとおり審決する。
【結　論】
　本件審判の請求は、成り立たない。
【理　由】
 第１　手続の経緯 
　本願は、平成１３年１０月１２日の特許出願であって、拒絶理由通知に応答して平成１７年３月２８日付けで手続補正がされたが、平成１７年６月１４日付けで拒絶査定がされ、これを不服として平成１７年７月２１日付けで審判請求がされるとともに、平成１７年８月１８日付けで明細書についての手続補正がされたものである。　
 　 
 第２　平成１７年８月１８日付け明細書についての手続補正についての補正却下の決定 
 ［補正却下の決定の結論］　
 　平成１７年８月１８日付け明細書についての手続補正（以下、「本件補正」という。）を却下する。　
 　
 ［理由］　
 1．本件補正の内容　
　本件補正における特許請求の範囲についての補正は、 
 補正前（平成１７年３月２８日付け手続補正書参照）に 
「【請求項１】　遊技店に設置された遊技機の透明前面パネルに配置された広告表示部と、前記広告表示部における前記広告情報の表示を制御する制御回路とを備え、
　前記広告表示部は透明ディスプレイであるとともに、任意の広告情報を表示可能に構成されており、前記広告情報は、前記遊技機の所有者である広告提供者と広告を希望する広告依頼者との契約内容に基づいた広告であることを特徴とする広告表示装置。
　【請求項２】　通信ネットワークを介して外部の広告配信サーバから前記広告情報を受信可能な通信手段を備え、前記広告表示部には前記広告配信サーバより受信した広告情報が表示されることを特徴とする請求項１に記載の広告表示装置。
　【請求項３】　前記広告配信サーバは、前記広告情報を作成するためのソフトウェアを備えていることを特徴とする請求項２に記載の広告表示装置。
　【請求項４】　前記透明ディスプレイは、前記透明前面パネルから取り外すことができるように構成されていることを特徴とする請求項１ないし３のいずれか１つに記載の広告表示装置。
　【請求項５】　前記広告回路は、前記広告情報を時間帯および場所のいずれかに基づいて変更することを特徴とする請求項１ないし４のいずれか１つに記載の広告表示装置。
　【請求項６】　前記広告回路は、前記広告情報を、主婦が多い時間帯には主婦が興味を持つ内容に変更し、サラリーマンが多い時間帯にはサラリーマンが興味を持つ内容に変更することを特徴とする請求項５に記載の広告表示装置。
　【請求項７】　前記契約内容では、広告を行う時間帯、日数、広告表示する遊技機の台数および広告地域のいずれかによって、前記広告依頼者が前記広告提供者に支払う広告料を変更できることを特徴とする請求項１ないし６のいずれか１つに記載の広告表示装置。
　【請求項８】　前記制御回路は、前記遊技機が待機状態であるか否かを判定し、前記遊技機が待機状態にあると判定した場合に、前記広告表示部における前記広告情報の表示を行うことを特徴とする請求項１ないし７のいずれか１つに記載の広告表示装置。
　【請求項９】　前記広告表示部は、前記広告情報以外の情報を表示可能であることを特徴とする請求項１ないし８のいずれか１つに記載の広告表示装置。
　【請求項１０】　前記透明ディスプレイは、ＥＬ素子を用いた透明ＥＬディスプレイであることを特徴とする請求項１ないし９のいずれか１つに記載の広告表示装置。」　
　とあったものを、 
「【請求項１】　遊技店に設置された複数の遊技機の透明前面パネルに配置された広告表示部と、前記広告表示部における前記広告情報の表示を制御する制御回路とを備え、前記広告表示部は透明ディスプレイであるとともに、任意の広告情報を表示可能に構成されており、前記広告情報は、前記遊技機の所有者である広告提供者と広告を希望する広告依頼者との契約内容に基づいた広告であって、
前記制御回路は、前記広告情報を時間帯および場所のいずれかに基づいて、複数の前記遊技機ごとに変更することを特徴とする広告表示装置。
　【請求項２】　通信ネットワークを介して外部の広告配信サーバから前記広告情報を受信可能な通信手段を備え、前記広告表示部には前記広告配信サーバより受信した広告情報が表示されることを特徴とする請求項１に記載の広告表示装置。
　【請求項３】　前記広告配信サーバは、前記広告情報を作成するためのソフトウェアを備えていることを特徴とする請求項２に記載の広告表示装置。
　【請求項４】　前記透明ディスプレイは、前記透明前面パネルから取り外すことができるように構成されていることを特徴とする請求項１ないし３のいずれか１つに記載の広告表示装置。
　【請求項５】　前記契約内容では、広告を行う時間帯、日数、広告表示する遊技機の台数および広告地域のいずれかによって、前記広告依頼者が前記広告提供者に支払う広告料を変更できることを特徴とする請求項１ないし４のいずれか１つに記載の広告表示装置。
　【請求項６】　前記制御回路は、前記遊技機が待機状態であるか否かを判定し、前記遊技機が待機状態にあると判定した場合に、前記広告表示部における前記広告情報の表示を行うことを特徴とする請求項１ないし５のいずれか１つに記載の広告表示装置。
　【請求項７】　前記広告表示部は、前記広告情報以外の情報を表示可能であることを特徴とする請求項１ないし６のいずれか１つに記載の広告表示装置。
　【請求項８】　前記透明ディスプレイは、ＥＬ素子を用いた透明ＥＬデスプレイであることを特徴とする請求項１ないし７のいずれか１つに記載の広告表示装置。」 
　と補正するものである。 
 　 
　つまり、本件補正は、特許請求の範囲についての以下の補正事項を含む。
　＜補正１＞補正前の請求項５乃至請求項６を削除するとともに、補正前の請求項７乃至請求項１０を補正後の請求項５乃至８にそれぞれ繰り上げ、さらに補正前の請求項７乃至請求項１０における請求項の引用番号を補正後の請求項５乃至８において対応する引用番号に変更する補正。　
　＜補正２＞補正前の請求項１における「遊技機」を補正後の請求項１において「複数の遊技機」とするとともに、補正前の請求項１に「前記制御回路は、前記広告情報を時間帯および場所のいずれかに基づいて、複数の前記遊技機ごとに変更する」を追加する補正。　
　
 ２．本件補正の目的　
　＜補正１＞について　
　補正後の請求項５乃至請求項８は、補正前の請求項５乃至請求項６の削除に伴って補正前の請求項７乃至請求項１０を繰り上げたものと認められる。
　したがって、上記補正１は、補正前の請求項５乃至請求項６を削除するとともに、それに伴って他の請求項を形式的に補正するものであるから、平成１８年改正前特許法第１７条の２第４項第１号に掲げる「第３６条第５項に規定する請求項の削除」を目的とする適法な補正と認められる。　
　＜補正２＞について　
　補正２により追加された「複数の」及び「前記制御回路は、前記広告情報を時間帯および場所のいずれかに基づいて、複数の前記遊技機ごとに変更する」とは、前記制御回路が対象とする遊技機を複数とし、複数の遊技機ごとにグループ化し、それぞれのグループごとに広告情報を時間帯および場所のいずれかに基づいて、複数の前記遊技機ごとに変更するものであって、補正後の請求項１に係る発明から把握される当該発明が解決しようとする課題には、複数の遊技機について、グループごとに広告情報を制御管理し効果的に広告を行うことが付加されたものといえる。
　一方、補正前の請求項１に係る発明から把握される当該発明が解決しようとする課題には、遊技店において、新たな設置場所を必要としている広告表示装置を提供することであり、補正後の請求項１に係る発明が解決しようとする課題は、補正前の請求項１に係る発明が解決しようとする課題と異質なものとなっており、両者の課題は同一の課題とはいえない。　
　よって、補正２により追加された「複数の」及び「前記制御回路は、前記広告情報を時間帯および場所のいずれかに基づいて、複数の前記遊技機ごとに変更する」は、平成１８年改正前特許法第１７条の２第４項第２号に掲げる特許請求の範囲の減縮を目的としたものに該当しない。　
　また、上記補正２は、平成１８年改正前特許法第１７条の２第４項第１号に掲げる請求項の削除、同法第１７条の２第４項第３号に掲げる誤記の訂正、同法第１７条の２第４項第４号に掲げる明りょうでない記載の釈明（拒絶理由通知に係る拒絶の理由に示す事項についてするものに限る）のいずれを目的としたものにも該当しない。 
　
　以上のとおり、上記補正２を含む本件補正は、平成１８年改正前特許法第１７条の２第４項に規定する要件を満たしていないものであるから、特許法第１５９条第１項において読み替えて準用する同法第５３条第１項の規定により却下されるべきものである。
　
 ３．独立特許要件について  
　本件補正は平成１８年改正前特許法第１７条の２第４項に規定する要件を満たしていないものの、上記補正２を同条第４項第２号に掲げる特許請求の範囲の減縮を目的としたものと仮に認め、つまり、全体として同条第４項第２号に掲げる特許請求の範囲の減縮を目的としたものと仮に認め、同法第１７条の２第５項において準用する同法第１２６条第５項に規定する要件を満たすか否かについて検討する。　
　
　３−Ｉ．特許法第２９条第２項違背  
 （３−Ｉ−１）本願補正発明の認定  
　本件補正後の請求項１に係る発明（以下、「本願補正発明」という。）は、本件補正により補正された特許請求の範囲【請求項１】に記載された次のとおりのものと認める。  
 「【請求項１】　遊技店に設置された複数の遊技機の透明前面パネルに配置された広告表示部と、前記広告表示部における前記広告情報の表示を制御する制御回路とを備え、前記広告表示部は透明ディスプレイであるとともに、任意の広告情報を表示可能に構成されており、前記広告情報は、前記遊技機の所有者である広告提供者と広告を希望する広告依頼者との契約内容に基づいた広告であって、
前記制御回路は、前記広告情報を時間帯および場所のいずれかに基づいて、複数の前記遊技機ごとに変更することを特徴とする広告表示装置。」  
 　  
 （３−Ｉ−２）引用例
　本願の出願前に頒布された刊行物であって、原査定の拒絶の理由に引用された特開２００１−２５２３９４号公報（以下、「引用例１」という。）には、以下の〈ア〉〜〈エ〉の記載が図示とともにある。
〈ア〉「【特許請求の範囲】
【請求項１】  透光性の前面側表示手段と、
該前面側表示手段の背後側に配される背後側表示手段と、
遊技機の利用状態を判別する状態判別手段と、
前記状態判別手段の判別結果に応じて前記前面側表示手段を通して認識される前記背後側表示手段の認識具合を制御する制御手段とを備えたことを特徴とする遊技機。・・・・
【請求項８】  請求項１ないし７のいずれか記載の遊技機において、
前記前面側表示手段は自発光型の透明表示器であることを特徴とする遊技機。」
〈イ〉「【００２０】
【実施例】図１は本実施例のスロットマシン１５の表示部の概要図である。前面枠１１にはパネル６が装着されており、遊技店に設置した状態で遊技者７に対面する位置に表示窓６ａが設けられている。パネル６の背面側には、前面側表示手段に該当する光透過型の透明ＥＬパネル５が取り付けられている。
【００２１】また、透明ＥＬパネル５の背後側（図２に示す筐体１０の内部）には、背後側表示手段に該当する回転リール表示器２が配されている。回転リール表示器２は、３個のリール２ａとこれらを回転駆動するモータ２ｂ（図４参照）等から構成されている。……」　
〈ウ〉「【００４０】次に待機状態におけるスロットマシン１５の動作について、透明ＥＬパネル５の表示を中心に説明する。図６に示すように、ＣＰＵ２０ａが適宜のタイミング毎に（例えばタイマ割込で）繰り返す待機時表示制御処理では、ＣＰＵ２０ａは、スロットマシン１５が待機状態にあるか否かを、待機状態フラグＦが１にセットされているか否かで判断する（Ｓ５１）。待機状態でなければ、実質的な処理は行わずに本処理を終了する。
【００４１】待機状態であると（Ｓ５１：ＹＥＳ）、蛍光灯９を消灯させ（Ｓ５２）、透明ＥＬパネル５に図７に示すようなメニューを表示させる（Ｓ５３）。この透明ＥＬパネル５の遊技者側の面はタッチパネルとなっているので、遊技者が指先でメニューのいずれかの項目にタッチすることで、その項目を選択できる。
【００４２】次にＣＰＵ２０ａは、遊技者が居ないために待機状態にあるのか遊技者が居るが遊技が行われないために待機状態にあるのかを、遊技者の存否によって判断する（Ｓ５４）。この判断の基礎は画像処理回路２２のデータである。遊技者が居なければスロットマシン１５に対して何らかの操作が行われることはないから、この処理を一旦終了する。
【００４３】遊技者が居れば、透明ＥＬパネル５に表示されているメニューのいずれかの項目にタッチされたか否か、つまりいずれかの項目が選択されたか否かを判断する（Ｓ５５）。選択がない場合には（Ｓ５５：ＮＯ）、ＣＰＵ２０ａはメダル投入センサ１４ａからの投入信号があったか否かを判断する（Ｓ５６）。メダルが投入されたことはゲームの開始を意味するから、投入信号が入力されていれば（Ｓ５６：ＹＥＳ）待機状態の終了として、待機状態フラグＦをクリアする（Ｓ５７）。投入信号がない場合には（Ｓ５６：ＮＯ）、Ｓ５５に戻る。なお、説明を簡明にするためにＳ５６で否定判断ならＳ５５に回帰するとしているが、実際にはＣＰＵ２０ａは、Ｓ５６で否定判断ならこの処理を一旦終了して他の処理を実行する構成である。
【００４４】メニュー中からの選択があれば、ＣＰＵ２０ａは「６．ゲーム開始」が選択されたか否かを判断する（Ｓ５８）。ゲーム開始が選択された場合には（Ｓ５８：ＹＥＳ）、遊技者がこれからゲームを行うという意思表示をしたことになるので、この場合も待機状態を終了する（Ｓ５７）。
【００４５】「６．ゲーム開始」以外が選択された場合には（Ｓ５８：ＮＯ）、選択された項目に応じた内容を透明ＥＬパネル５に表示させる（Ｓ５９）。具体的には、「１．遊び方の説明」であれば、このスロットマシン１５でのゲームの方法等を説明する文字などを表示させ（図８（ａ）参照）、「２．本日の実績」であれば、このスロットマシン１５の始動回数、ボーナスゲームやビッグボーナスゲームの成立回数などを表示させ（図８（ｂ））、「３．機種紹介」ならスロットマシンメーカーの他の機種や他の遊技機を紹介する表示をさせ、「４．営業案内」ならスロットマシン１５が設置されている遊技店の開店、閉店時間や定量制、ラッキーナンバー制、無制限などの営業形態についての情報を表示させ、「５．食事休憩」が選ばれた場合には、このスロットマシン１５を使用している遊技者が昼食等で一時的に席を離れている旨の表示をさせる（図８（ｃ））。「１．遊び方の説明」及び「５．食事休憩」の表示データはＲＯＭ２０ｂに格納されており、「２．本日の実績」はＲＡＭ２０ｃに記憶しておいたデータに基づき、「３．機種紹介」及び「４．営業案内」の内容は、ホールコンピュータから取得したものである。このＳ５９の後あるいは前述のＳ５７の後、本処理からリターンする。・・・・　
【００４９】そして、待機状態では上述の案内や広告などのを表示するので、透明ＥＬパネル５の利用価値は高く、表示の内容もゲーム中と待機状態とでそれぞれバラエティに富んだものになる。なお、この実施例では、ＣＰＵ２０ａが状態判別手段（利用状態判別処理、Ｓ５１、Ｓ５６、Ｓ５８）、制御手段（Ｓ５２）及び前面側表示制御手段（例えばＳ５３、Ｓ５９及びゲーム時の表示）として機能している。」　
〈エ〉「【００５１】或いは、メニュー表示を行わずに、遊び方の説明、本日の実績、機種の紹介、営業案内、ニュース、一般の広告などを適宜の順序でサイクル的に表示する構成としてもよい。また、図９に示すように、ＣＣＤカメラ２１の画像すなわち画像処理回路２２のデータに基づいて遊技者の存否を判断し（Ｓ６１）、遊技者が居ない場合には蛍光灯９を消灯し（Ｓ６２）、透明ＥＬパネル５に遊び方の説明、本日の実績、機種の紹介、営業案内、ニュース、一般の広告などを適宜の順序でサイクル的に表示し（Ｓ６３）、遊技者が居れば（Ｓ６１：ＹＥＳ）、遊技状態として（もしそれまでが待機状態で蛍光灯９が消灯していればこれを点灯し）、透明ＥＬパネル５に遊技時の表示を行わせる（Ｓ６４）、といった構成も可能である。この場合、遊技者が着席すると待機状態が終了になるので、遊技者が着席せずに遊技機を見てのいわゆる台選びをサポートする内容の表示に適している。」　
　
　上記〈イ〉【００２０】「図１は本実施例のスロットマシン１５・・・遊技店に設置した状態」との記載を参酌するに、上記〈ア〉の【請求項８】に記載の遊技機は、遊技店に設置された遊技機であることが把握できる。　
　
　以上のことから、上記〈ア〉〜〈エ〉の記載を含む引用例１には、次の発明が記載されていると認めることができる。　
「遊技店に設置された遊技機に配置された透明ＥＬパネルを備えた遊技機。」（以下、「引用発明」という。）
　
 （３−Ｉ−３）対比　
　ａ．上記〈ウ〉【００４５】及び上記〈エ〉の「透明ＥＬパネル５に遊び方の説明、本日の実績、機種の紹介、営業案内、ニュース、一般の広告などを適宜の順序でサイクル的に表示し」を参照するに、前記「本日の実績」，「機種の紹介」，「営業案内」及び「一般の広告」は，「任意の広告情報」の範疇に属するものと解される。　
　そうすると、前記透明ＥＬパネル５は、遊技機に配置された広告表示部であることが把握できることから、上記〈ア〉の【請求項８】に記載の遊技機は、「遊技機に配置された広告表示部を備え、
　前記広告表示部は透明ＥＬパネルであるとともに、任意の広告情報を表示可能に構成された遊技機」であると把握できる。
　ｂ．前記〈エ〉の「本日の実績、機種の紹介、営業案内、……一般の広告」は、「広告情報」の範疇に属するものと解されるから、「透明ＥＬパネル５」を含む図４は、上記〈イ〉乃至〈ウ〉の記載を参照するに、広告表示部における広告情報の表示を制御する制御回路を備えることが把握できる。　
　ｃ．図１に記載の「スロットマシン　１５」（遊技機）は「透明ＥＬパネル５」を有することから、上記〈ア〉【請求項８】の「遊技機」は、「広告表示装置」であるとも呼称できる。
　したがって、引用発明の「前記広告表示部は透明ＥＬパネルである遊技機」は、「前記広告表示部は透明ＥＬパネルである広告表示装置」と呼称できる。　
　ｄ．引用発明の「透明ＥＬパネル」は、本願補正発明の「透明ディスプレイ」に相当する。
　
　してみれば、本願補正発明と引用発明とは、
「遊技店に設置された遊技機の配置された広告表示部と、前記広告表示部における前記広告情報の表示を制御する制御回路とを備え、
　前記広告表示部は透明ディスプレイであるとともに、任意の広告情報を表示可能に構成された広告表示装置。」　
　である点で一致し、以下の点で相違する。
　〈相違点１〉　
　本願補正発明では広告表示部が「遊技機の透明前面パネルに配置された広告表示部」と特定されているのに対し、引用発明ではそのような特定がなされていない点。　
　〈相違点２〉　
　本願補正発明では広告情報が「前記遊技機の所有者である広告提供者と広告を希望する広告依頼者との契約内容に基づいた広告である」と特定されているのに対し、引用発明ではそのような特定がなされていない点。
　〈相違点３〉
  本願補正発明では遊技店に設置された複数の遊技機が「前記制御回路が前記広告情報を時間帯および場所のいずれかに基づいて、複数の前記遊技機ごとに変更する」と特定されているのに対し、引用発明ではそのような特定がなされていない点。　
　
 （３−Ｉ−４）判断　
　〈相違点１〉について
　遊技機の透明前面パネルに配置された表示パネルの構成は、本願の出願前に頒布された刊行物である実願昭５８−１５２６８５号（実開昭６０−６１０７９号）のマイクロフィルム、３頁１０行乃至５頁６行、特に、５頁４行乃至６行「更に、第３図のように構成された液晶表示素子８をこれと別体の前面ガラス板に添着した構成としてもよい。」に記載の如く、周知の技術事項である。　
　してみれば、引用発明において、広告表示部が遊技機の透明前面パネルに配置された構成となすことは、当業者が容易に想到し得る事項である。　
　
　このように、上記相違点１に係る本願補正発明の特定事項は、引用発明及び周知の技術事項に基づいて、当業者が容易に想到し得る事項である。　
　
　〈相違点２〉について　
　本願明細書段落「【００２７】　
　図５は、広告契約を示す概念図である。図５に示すように、遊技機４０を設置した遊技場のオーナー（広告提供者）は、広告を希望する映画館や食料品店等（広告依頼者）と広告契約を結ぶ。広告提供者は、遊技機４０の透明ディスプレイ２１に映画館のロードショー情報、食料品店の特売品情報等に関する広告を行い、広告料として広告依頼者に対価を請求することができる。」及び図５の記載によると、　
　本願補正発明の「前記広告情報は、前記遊技機の所有者である広告提供者と広告を希望する広告依頼者との契約内容に基づいた広告である」点は、前記広告情報が人為的取決めに基づいて定められた広告であるということだけを意味するものと解される。
　一方、本願補正発明が請求しているものは「広告表示装置」そのものであり、当該広告表示装置が表示する広告情報を人為的取決めに基づいて定められたものと特定したことによって広告表示装置そのものの構成が何等限定されるものとはいえない。　
　そうすると、上記相違点２に係る本願補正発明の特定事項は、引用発明に対して単なる表現上の差異にすぎずない。　
　
　〈相違点３〉について　
　上記〈ウ〉の「・・ＣＰＵ２０ａ・・」、「・・ＲＯＭ２０ｂ」、「・・ＲＡＭ２０ｃ・・」及び「・・ホールコンピュータ・・」及び図４の記載を参酌するに、引用例１に記載の遊技店に設置された全ての遊技機はホールコンピュータにより一括して制御管理されていることが把握できる。
　他方、遊技機群を配置された区分毎にグループ化して管理しするととともに、各遊技機を遊技ホール全体の管理用ホストコンピュータで集中管理することは、本願の出願前に頒布された刊行物である特開２００１−５８０２８号公報、特に【０００２】に記載の如く、周知の技術事項であり、
　遊技機群を一つの区域を有する複数の遊技機からなるグループ又は複数の区域を有する複数の遊技機からなるグループとして管理し、また、いずれかの前記グループに区分した区域は固定してもよく、遊技機の種類、遊技状態、時間の経過に応じて変化させてもよいことは、本願の出願前に頒布された刊行物である特開２００１−９６０１２号公報、特に【０００６】に記載の如く、周知の技術事項である。　
　加えて遊技機群を特定の配置に基づいて区分された複数の遊技機からなるグループごとに管理し、特定のグループごとに、好まれる広告情報を提供することは、特開２００１−１９０８２９号公報、特に【００１２】、【００１５】及び【００８４】、国際公開９９−３４８８８号、特に、６頁７行乃至７頁１０行及び２２頁１０乃至２０行並びに国際公開９９−３４８８８号、特に１９頁６乃至１７行及び６頁９行乃至７頁１４行に記載の如く、周知の技術事項である。
　してみれば、引用発明において、遊技店に設置された複数の遊技機であって、ホールコンピュータにより一括して制御管理された複数の遊技機について、制御回路が広告情報を時間帯および場所のいずれかに基づいて、複数の遊技機ごとに変更する構成となすことは、当業者が容易に想到し得る事項である。　
　
　このように、上記相違点３に係る本願補正発明の特定事項は、引用発明並びに引用例１に記載の技術事項及び周知の技術事項に基づいて、当業者が容易に想到し得る事項である。　
　
　以上のように、上記相違点１乃至相違点３に係る本願補正発明の発明特定事項は、引用発明並びに引用例１に記載の技術事項及び周知の技術事項に基づいて当業者が想到容易な事項であって、かかる発明特定事項を採用したことによる本願補正発明の効果も当業者が容易に予測し得る程度のものである。　
　
　したがって、本願補正発明は、引用発明並びに引用例１に記載の技術事項及び周知の技術事項に基づいて当業者が容易に発明をすることができたものであるから、特許法第２９条第２項の規定により、特許出願の際独立して特許を受けることができない。  
　
　３−ＩＩ．独立特許要件についてのむすび　
　以上のとおり、本願補正発明は、特許出願の際独立して特許を受けることができないものであるから、仮に本件補正が平成１８年改正前特許法第１７条の２第４項第２号に掲げる特許請求の範囲の減縮を目的としたものとしても、同特許法第１７条の２第５項において準用する同法第１２６条第５項の規定に違反するものである。  
　
 ４．本件補正についてのむすび　
　本件補正は、平成１８年改正前特許法第１７条の２第４項に規定する要件を満たしておらず、仮に本件補正が平成１８年改正前特許法第１７条の２第４項第２号に掲げる特許請求の範囲の減縮を目的としたものとしても、前記「３．独立特許要件について」に記載のとおり、同特許法第１７条の２第５項において準用する同法第１２６条第５項の規定に違反するものであるから、本件補正は同法第１５９条第１項の規定において読み替えて準用する同法第５３条第１項の規定により却下されるべきものである。  
　
 第３　本願発明について　
 １．本願発明の認定　
　平成１７年８月１８日付け明細書についての手続補正は上記のとおり却下されたので、本願の請求項１に係る発明は、平成１７年３月２８日付けで補正された特許請求の範囲【請求項１】に記載された事項によって特定される次のとおりのものと認める。　
「遊技店に設置された遊技機の透明前面パネルに配置された広告表示部と、前記広告表示部における前記広告情報の表示を制御する制御回路とを備え、
　前記広告表示部は透明ディスプレイであるとともに、任意の広告情報を表示可能に構成されており、前記広告情報は、前記遊技機の所有者である広告提供者と広告を希望する広告依頼者との契約内容に基づいた広告であることを特徴とする広告表示装置。」（以下、「本願発明」という。）　
　
 ２．引用例　
　本願の出願前に頒布された刊行物であって、原査定の拒絶の理由に引用された引用例１及びその記載事項は、前記「第２　３．（３−Ｉ−２）」に記載のとおりである。　
 　 
 ３．対比・判断　
　本願発明は、前記「第２　３．」で検討した本願補正発明から、遊技店に設置された複数の遊技機について「複数の」、制御回路について「前記制御回路は、前記広告情報を時間帯および場所のいずれかに基づいて、複数の前記遊技機ごとに変更する」とのそれぞれの限定を省いたものに相当する。
　そうすると、本願発明の構成要件をすべて含み、さらに他の要件を付加したものに相当する本願補正発明が、前記「第２　３．（３−Ｉ−４）」に記載したとおり、引用発明並びに引用例１に記載の技術事項及び周知の技術事項に基づいて当業者が容易に発明をすることができたものであるから、本願発明も同様の理由により、当業者が容易に発明をすることができたものである。 
　
 第４　むすび　
　以上のとおり、本願発明は、引用発明及び周知の技術事項に基づいて、当業者が容易に発明をすることができたものであるから、特許法第２９条第２項の規定により特許を受けることができない。 
　したがって、本願出願のその余の請求項に係る発明について検討するまでもなく、本願は拒絶を免れない。 
　よって、結論のとおり審決する。